(57)【要約】【課題】検出部に嵌合されているロータリーノブおよびプッシュボタンを容易に離脱することができるスイッチ装置を提供する。【解決手段】スイッチ装置２０は、第１検出部２２と、第１検出部２２に角変位可能に半径方向外側から嵌合するロータリーノブ２１と、第１検出部２２にスライド変位可能に半径方向内側から嵌合するプッシュボタン２３とを備える。プッシュボタン２３は、ボタン側係止片３３の先端側のボタン側係合部３６を、第１検出部２２のボタン用係合部３７に係合させて嵌合される。プッシュボタン２３の外周部にはボタン側傾斜部３８を形成し、ロータリーノブ２１の内周部にはノブ側突起部２９を形成する。第１検出部２２から離脱させたロータリーノブ２１を離脱方向Ｒ１２に引張ると、ノブ側突起部２９がボタン側傾斜部３８に当接してボタン側係止片３３が内側に変形し、ボタン側係合部３６とボタン用係合部３７との係合が解除される。【選択図】      図１
2006228452.tif 000002
【特許請求の範囲】
【請求項１】
ロータリーノブと、
前記ロータリーノブが軸線まわりに嵌合し、前記ロータリーノブの回転に連動して回転して前記ロータリーノブの角変位量を検出する検出部と、
前記検出部に軸線方向に変位可能に嵌合するプッシュボタンとを備えるスイッチ装置であって、
前記ロータリーノブの軸線方向の変位によって、前記プッシュボタンと前記検出部との嵌合状態を解除する解除手段が設けられることを特徴とするスイッチ装置。
【請求項２】
ロータリーノブと、
前記ロータリーノブが軸線まわりに角変位可能に半径方向外側から嵌合し、前記ロータリーノブの角変位量を検出する第１検出部と、
前記第１検出部に対して軸線方向にスライド変位可能に、前記第１検出部に半径方向内側から嵌合するプッシュボタンと、
前記プッシュボタンのスライド変位を検出する第２検出部とを備えるスイッチ装置であって、
前記プッシュボタンは、前記第１検出部に嵌合されている状態で、該第１検出部に半径方向内側から係止するボタン側係止片を備え、
前記プッシュボタンおよび前記ロータリーノブには、前記第１検出部から前記ロータリーノブを離脱させるときに、前記第１検出部と前記ボタン側係止片との係止状態を解除する係止解除手段が設けられることを特徴とするスイッチ装置。
【請求項３】
前記係止解除手段は、
前記ボタン側係止片の自由端と固定端との間に設けられるボタン側係合部と、
前記ロータリーノブに設けられるノブ側係合部とを含み、
前記ロータリーノブを前記第１検出部から離脱させる離脱方向にスライド変位させると、前記ボタン側係合部と前記ノブ側係合部とが当接して前記ボタン側係止片が前記第１検出部から離反する方向に変形することを特徴とする請求項２記載のスイッチ装置。
【請求項４】
前記係止解除手段は、
前記ボタン側係止片における前記ボタン側係合部と前記固定端との間に設けられ、前記ボタン側係合部から前記固定端に向かうにつれて前記ロータリーノブに向かって傾斜するボタン側傾斜部と、
前記ロータリーノブに設けられ、前記ロータリーノブの半径方向内側に突出し、前記プッシュボタンおよび前記ロータリーノブが前記第１検出部に嵌合されている状態では、前記ボタン側係止片とは間隔をあけ、前記ロータリーノブを前記第１検出部から離脱させるときに、前記ボタン側傾斜部に当接するノブ側突起部とを含み、
前記ロータリーノブを前記離脱方向にスライド変位させると、前記ノブ側突起部が前記ボタン側傾斜部に当接して、前記ボタン側係止片が前記第１検出部から離反する方向に変形することを特徴とする請求項３記載のスイッチ装置。
【請求項５】
前記係止解除手段は、
前記ボタン側係止片における前記ボタン側係合部と前記固定端との間に設けられ、前記ロータリーノブに向かって突出するボタン側突出部と、
前記ロータリーノブに設けられ、前記ロータリーノブの半径方向内側に突出するとともに先端部が前記離脱方向に向かうにつれて半径方向外側に傾斜して形成され、前記プッシュボタンおよび前記ロータリーノブが前記第１検出部に嵌合されている状態では、前記ボタン側係止片とは間隔をあけ、前記ロータリーノブを前記第１検出部から離脱させるときに、前記ボタン側突出部に当接するノブ側突起部とを含み、
前記ロータリーノブを前記離脱方向にスライド変位させると、前記ノブ側突起部が前記ボタン側突出部に当接して、前記ボタン側係止片が前記第１検出部から離反する方向に変形することを特徴とする請求項３記載のスイッチ装置。
【請求項６】
前記ボタン側係止片における前記ボタン側係合部よりも前記プッシュボタンの天板部側に、前記ノブ側突起部が嵌合可能な嵌合凹所が形成されることを特徴とする請求項４または５に記載のスイッチ装置。
【請求項７】
前記プッシュボタンおよび前記ロータリーノブが前記第１検出部に嵌合されている状態で、前記プッシュボタンの天板部が操作者によって前記プッシュボタンの押圧方向に押圧されると、前記プッシュボタンの天板部と前記ロータリーノブの離脱方向側端部とが弾発的に当接することを特徴とする請求項２〜６のいずれか１項に記載のスイッチ装置。
【請求項８】
前記プッシュボタンおよび前記ロータリーノブが前記第１検出部に嵌合されている状態で、前記プッシュボタンは、前記ボタン側係止片における少なくとも前記ノブ側突起部に臨む部分よりも前記プッシュボタンの天板部側の部分が遮光性を有することを特徴とする請求項５〜７のいずれか１項に記載のスイッチ装置。
【発明の詳細な説明】
【技術分野】
【０００１】
本発明は、たとえば電子機器に設けられるスイッチ装置に係り、詳しくはその構造に関する。
【背景技術】
【０００２】
図７は、従来のスイッチ装置１を示す断面図である。スイッチ装置１は、ロータリーノブ２、第１検出部３、プッシュボタン４および第２検出部５を含む。スイッチ装置１は、ロータリーノブ２の角変位量を第１検出部３で検出し、プッシュボタン４のスライド変位、すなわち押圧されたことを第２検出部５で検出するスイッチ装置である。
【０００３】
第１検出部３は、略円筒状に形成され、軸線方向一端部３ａが電子回路が形成される基板７に取り付けられる。ロータリーノブ２は、略円筒状に形成され、軸線Ｌ１まわりに角変位可能に第１検出部３に対して半径方向外側から嵌合される。
【０００４】
第１検出部３の外周部には、半径方向内側に陥没する嵌合凹所８が形成され、一方、ロータリーノブ２の軸線方向一端部２ａには、半径方向内側に突出するノブ側係合部６が形成される。第１検出部３の嵌合凹所８に、ロータリーノブ２のノブ側係合部６が嵌入されることによって、ロータリーノブ２が軸線Ｌ１まわりに角変位可能に第１検出部３に対して半径方向外側から嵌合する。第１検出部３は、このようにして嵌合されたロータリーノブ２の角変位量を検出する。
【０００５】
また、第２検出部５は、基板７上であって略円筒状に形成された第１検出部３の内側に取り付けられる。プッシュボタン４は、軸線Ｌ１方向にスライド変位可能に第１検出部３に対して半径方向内側から嵌合される。
【０００６】
プッシュボタン４は、略円板状に形成される天板部９と、天板部９から軸線方向一方向である押圧方向Ｒ１に突出する略円筒形状に形成される胴部１０とを有する。プッシュボタン４の胴部１０には、半径方向外側に突出するボタン側係合部１１が形成される。プッシュボタン４は、ボタン側係合部１１が第１検出部３の内周部に半径方向内側から係合することによって、第１検出部３に対して軸線Ｌ１方向にスライド変位可能に、第１検出部３に対して半径方向内側から嵌合する。第２検出部５は、このようにしてスライド変位可能に嵌合されたプッシュボタン４のスライド変位、すなわち押圧されたことを検出する。このような構造のスイッチ装置１に類似するスイッチ装置は、例えば特許文献１〜３に開示されている。
【特許文献１】特開平５−８１９６７号公報
【特許文献２】特開平５−２１７４６９号公報
【特許文献３】特開平１１−２６０１９８号公報
【発明の開示】
【発明が解決しようとする課題】
【０００７】
図７に示す従来のスイッチ装置１では、第１検出部３に嵌合されているロータリーノブ２およびプッシュボタン４を離脱させる場合、ロータリーノブ２が存在するために、ボタン側係合部１１と第１検出部３との係合状態を解除できず、プッシュボタン４だけを単独で第１検出部３から離脱させることができない。そのため、まずロータリーノブ２を第１検出部３から離脱させて、それからロータリーノブ２を軸線方向他方向である離脱方向Ｒ２に強引に変位させて、プッシュボタン４のボタン側係合部１１と第１検出部３との係合を無理矢理解除して、プッシュボタン４を第１検出部３から離脱させなければならない。
したがってこのようなスイッチ装置１では、ロータリーノブ２およびプッシュボタン４を第１検出部３から離脱して分解することが非常に困難となり、メンテナンス性が非常に悪い。
【０００８】
またこのようなスイッチ装置１では、メンテナンスを行う度にプッシュボタン４のボタン側係合部１１と第１検出部３との係合および係合解除を繰り返すので、ボタン側係合部１１が磨耗して、プッシュボタン４が第１検出部３に嵌合されている状態において半径方向にがたつきが生じ、プッシュボタン４の操作性が低下する可能性もある。
【０００９】
本発明の目的は、検出部に嵌合されているロータリーノブおよびプッシュボタンを容易に離脱することができるとともに、ロータリーノブおよびプッシュボタンの検出部への嵌合および離脱を繰り返してもプッシュボタンの良好な操作性を維持することができるスイッチ装置を提供することにある。
【課題を解決するための手段】
【００１０】
請求項１記載の発明は、ロータリーノブと、前記ロータリーノブが軸線まわりに嵌合し、前記ロータリーノブの回転に連動して回転して前記ロータリーノブの角変位量を検出する検出部と、前記検出部に軸線方向に変位可能に嵌合するプッシュボタンとを備えるスイッチ装置であって、前記ロータリーノブの軸線方向の変位によって、前記プッシュボタンと前記検出部との嵌合状態を解除する解除手段が設けられることを特徴とするスイッチ装置である。
【００１１】
本発明に従えば、検出部からロータリーノブを離脱させるために軸線方向に変位させると、解除手段によって検出部とプッシュボタンとの嵌合状態が解除される。したがって、ロータリーノブとともにプッシュボタンを検出部から容易に離脱させることができる。また、ロータリーノブおよびプッシュボタンの検出部への嵌合および離脱を繰り返してもプッシュボタンの良好な操作性を維持することができる。
【００１２】
請求項２記載の発明は、ロータリーノブと、前記ロータリーノブが軸線まわりに角変位可能に半径方向外側から嵌合し、前記ロータリーノブの角変位量を検出する第１検出部と、前記第１検出部に対して軸線方向にスライド変位可能に、前記第１検出部に半径方向内側から嵌合するプッシュボタンと、前記プッシュボタンのスライド変位を検出する第２検出部とを備えるスイッチ装置であって、前記プッシュボタンは、前記第１検出部に嵌合されている状態で、該第１検出部に半径方向内側から係止するボタン側係止片を備え、前記プッシュボタンおよび前記ロータリーノブには、前記第１検出部から前記ロータリーノブを離脱させるときに、前記第１検出部と前記ボタン側係止片との係止状態を解除する係止解除手段が設けられることを特徴とするスイッチ装置である。
【００１３】
本発明に従えば、プッシュボタンは、ボタン側係止片が第１検出部に半径方向内側から係止することで、軸線方向にスライド変位可能に前記第１検出部に対して半径方向内側から嵌合する。前記第１検出部から前記ロータリーノブを離脱させようとすると、前記プッシュボタンおよび前記ロータリーノブに設けられる係止解除手段によって、前記第１検出部と前記ボタン側係止片との係止状態が解除される。したがって、ロータリーノブとともにプッシュボタンを検出部から容易に離脱させることができる。また、ロータリーノブおよびプッシュボタンの検出部への嵌合および離脱を繰り返してもプッシュボタンの良好な操作性を維持することができる。
【００１４】
請求項３記載の発明は、前記係止解除手段は、前記ボタン側係止片の自由端と固定端との間に設けられるボタン側係合部と、前記ロータリーノブに設けられるノブ側係合部とを含み、前記ロータリーノブを前記第１検出部から離脱させる離脱方向にスライド変位させ
ると、前記ボタン側係合部と前記ノブ側係合部とが当接して前記ボタン側係止片が前記第１検出部から離反する方向に変形することを特徴としている。
【００１５】
本発明に従えば、ロータリーノブを第１検出部から離脱させるように離脱方向にスライド変位させると、前記ボタン側係合部と前記ノブ側係合部との係合作用によって、前記ボタン側係止片が前記第１検出部から離反する方向に変形する。これによって、前記第１検出部材と前記ボタン側係止片との係止状態が解除される。
【００１６】
請求項４記載の発明は、前記係止解除手段は、前記ボタン側係止片における前記ボタン側係合部と前記固定端との間に設けられ、前記ボタン側係合部から前記固定端に向かうにつれて前記ロータリーノブに向かって傾斜するボタン側傾斜部と、前記ロータリーノブに設けられ、前記ロータリーノブの半径方向内側に突出し、前記プッシュボタンおよび前記ロータリーノブが前記第１検出部に嵌合されている状態では、前記ボタン側係止片とは間隔をあけ、前記ロータリーノブを前記第１検出部から離脱させるときに、前記ボタン側傾斜部に当接するノブ側突起部とを含み、前記ロータリーノブを前記離脱方向にスライド変位させると、前記ノブ側突起部が前記ボタン側傾斜部に当接して、前記ボタン側係止片が前記第１検出部から離反する方向に変形することを特徴としている。
【００１７】
本発明に従えば、ロータリーノブを第１検出部から離脱させるように離脱方向にスライド変位させると、ノブ側突起部がボタン側傾斜部に当接される。前記ボタン側傾斜部は、前記ボタン側係合部から前記固定端に向かうにつれて前記ロータリーノブに向かって傾斜している。そのため、前記ボタン側傾斜部が前記ノブ側突起部から半径方向内側から力を受けて、その力によって前記ボタン側係止片が前記第１検出部から離反する方向に変形する。
【００１８】
請求項５記載の発明は、前記係止解除手段は、前記ボタン側係止片における前記ボタン側係合部と前記固定端との間に設けられ、前記ロータリーノブに向かって突出するボタン側突出部と、前記ロータリーノブに設けられ、前記ロータリーノブの半径方向内側に突出するとともに先端部が前記離脱方向に向かうにつれて半径方向外側に傾斜して形成され、前記プッシュボタンおよび前記ロータリーノブが前記第１検出部に嵌合されている状態では、前記ボタン側係止片とは間隔をあけ、前記ロータリーノブを前記第１検出部から離脱させるときに、前記ボタン側突出部に当接するノブ側突起部とを含み、前記ロータリーノブを前記離脱方向にスライド変位させると、前記ノブ側突起部が前記ボタン側突出部に当接して、前記ボタン側係止片が前記第１検出部から離反する方向に変形することを特徴としている。
【００１９】
本発明に従えば、ロータリーノブを第１検出部から離脱させるように離脱方向にスライド変位させると、ノブ側突起部がボタン側突出部に当接される。前記ノブ側突起部は、前記ロータリーノブの半径方向内側に突出するとともに先端部が前記離脱方向に向かうにつれて半径方向外側に傾斜して形成されている。そのため、前記ボタン側突出部が前記ノブ側突起部から半径方向内側からの力を受けて、その力によって前記ボタン側係止片が前記第１検出部から離反する方向に変形する。
【００２０】
請求項６記載の発明は、前記ボタン側係止片における前記ボタン側係合部よりも前記プッシュボタンの天板部側に、前記ノブ側突起部が嵌合可能な嵌合凹所が形成されることを特徴としている。
【００２１】
本発明に従えば、プッシュボタンおよびロータリーノブが第１検出部に嵌合されている状態から前記ロータリーノブを離脱方向にスライド変位させると、ノブ側突起部が前記プッシュボタンの嵌合凹所に嵌合する。この状態でさらに前記ロータリーノブを前記離脱方
向にスライド変位させると、前記ロータリーノブと前記プッシュボタンとは一体的に前記第１検出部から離脱する。
【００２２】
請求項７記載の発明は、前記プッシュボタンおよび前記ロータリーノブが前記第１検出部に嵌合されている状態で、前記プッシュボタンの天板部が操作者によって前記プッシュボタンの押圧方向に押圧されると、前記プッシュボタンの天板部と前記ロータリーノブの離脱方向側端部とが弾発的に当接することを特徴としている。
【００２３】
本発明に従えば、操作者がプッシュボタンの天板部を押圧方向に押圧すると、前記プッシュボタンの天板部と前記ロータリーノブの離脱方向側端部とが弾発的に当接する。
請求項８記載の発明は、前記プッシュボタンおよび前記ロータリーノブが前記第１検出部に嵌合されている状態で、前記プッシュボタンは、前記ボタン側係止片における少なくとも前記ノブ側突起部に臨む部分よりも前記プッシュボタンの天板部側の部分が遮光性を有することを特徴としている。
【００２４】
本発明に従えば、プッシュボタンおよびロータリーノブが第１検出部に嵌合されている状態で、前記プッシュボタンはボタン側係止片における少なくともノブ側突起部に臨む部分よりも前記プッシュボタンの天板部側の部分が遮光性を有するので、第１検出部の内側に光源を配置した場合に、天板部側への光漏れを抑制することができる。
【発明の効果】
【００２５】
請求項１記載の発明によれば、ロータリーノブとともにプッシュボタンを検出部から容易に離脱させることができる。このようにロータリーノブおよびプッシュボタンを検出部から離脱させてスイッチ装置を容易に分解できるので、スイッチ装置のメンテナンス性を向上することができる。また、ロータリーノブおよびプッシュボタンの検出部への嵌合および離脱を繰り返してもプッシュボタンの良好な操作性を維持することができる。
【００２６】
請求項２記載の発明によれば、ロータリーノブを第1検出部から離脱するときに、係止
解除手段によって前記第１検出部とボタン側係止片との係止状態が積極的に解除されるので、プッシュボタンを前記第1検出部から容易に離脱することができる。このようにスイ
ッチ装置の前記ロータリーノブおよび前記プッシュボタンを前記第１検出部から離脱してスイッチ装置を容易に分解できるので、スイッチ装置のメンテナンス性を向上することができる。また、ロータリーノブおよびプッシュボタンの第１検出部への嵌合および離脱を繰り返してもプッシュボタンの良好な操作性を維持することができる。
【００２７】
請求項３記載の発明によれば、ロータリーノブを第１検出部から離脱させるように離脱方向にスライド変位させると、ボタン側係止片が前記第１検出部から離間する方向に変形するので、スイッチ装置の分解を繰り返しても、前記ボタン側係止片のボタン側係合部が磨耗することを可及的に防止することができる。これによってスイッチ装置の分解を繰り返しても、前記プッシュボタンの前記第１検出部への嵌合状態を良好に保つことができる。
【００２８】
請求項４または５に記載の発明によれば、ロータリーノブを第１検出部から離脱させるように離脱方向にスライド変位させると、ボタン側係止片が前記第１検出部から離反する方向に容易に変形するので、プッシュボタンを前記第1検出部から容易に離脱させること
ができる。
【００２９】
請求項６記載の発明によれば、ロータリーノブとプッシュボタンとは一体的に第１検出部から離脱するので、前記第１検出部から離脱させた後の前記ロータリーノブおよび前記プッシュボタンの保管性が向上する。これによって、プッシュボタンやロータリーノブの
紛失を防ぐことが可能となる。
【００３０】
請求項７記載の発明によれば、操作者がプッシュボタンの天板部を押圧方向に押圧すると、前記プッシュボタンの天板部とロータリーノブの離脱方向側端部とが弾発的に当接するので、操作者の感じるプッシュボタンの操作感が向上する。
【００３１】
請求項８記載の発明によれば、ボタン側係止片における少なくともノブ側突起部に臨む部分よりもプッシュボタンの天板部側への光を遮ることができるので、第１検出部の内側に光源を配置しても、前記天板部側への光漏れを抑制することができる。これによって、スイッチ装置の美観を向上させることができる。
【発明を実施するための最良の形態】
【００３２】
（第１の実施形態）
以下、本発明の第１実施形態を、図１〜図４を参照しながら説明する。図１は、第１実施形態であるスイッチ装置２０を示す断面図であり、図２はスイッチ装置２０を示す斜視図である。スイッチ装置２０は、ロータリーノブ２１、第１検出部２２、プッシュボタン２３および第２検出部２４を含んで構成される。スイッチ装置２０は、ロータリーノブ２１の角変位量を第１検出部２２で検出し、プッシュボタン２３のスライド変位、すなわち押圧されたことを第２検出部２４で検出するスイッチ装置である。
【００３３】
第１検出部２２は、例えば略円筒状に形成され、軸線方向一方向である押圧方向Ｒ１１側の端部が所定の取付部、本実施形態では電子回路等が形成される基板３０に取り付けられる。ロータリーノブ２１は、例えば略円筒状に形成され、軸線Ｌ１０まわりに角変位可能に第１検出部２２に対して半径方向外側から嵌合される。
【００３４】
第１検出部２２の外周部には、半径方向内側に陥没するノブ用係合凹所３１が形成され、一方、ロータリーノブ２１の押圧方向Ｒ１１側の端部には、半径方向内側に突出するノブ側係合部２８が形成される。第１検出部２２のノブ用係合凹所３１に、ロータリーノブ２１のノブ側係合部２８が嵌入されることによって、ロータリーノブ２１が軸線Ｌ１０まわりに角変位可能に第１検出部２２に対して半径方向外側から嵌合する。第１検出部２２は、このようにして嵌合されたロータリーノブ２１の角変位量を検出する。第１検出部２２は、たとえばロータリーエンコーダで実現される。
【００３５】
上述したロータリーノブ２１の形状を詳細に説明する。ロータリーノブ２１は、把持部２５、内側部２６および連結部２７を有する。把持部２５は、略円筒状に形成され、外周部には、操作者が把持しやすいように多数の凹凸が形成されている。内側部２６は、略円筒状に形成され、把持部２５の半径方向内側に同軸に配置される。また内側部２６の押圧方向Ｒ１１側の端部には、上述したノブ側係合部２８が周方向に間隔をあけて２個形成される。また内側部２６の軸線方向中央部には、半径方向内側に突出するノブ側突起部２９が形成される。連結部２７は、内側部２６の押圧方向Ｒ１１側端部が把持部２５の押圧方向Ｒ１１側端部よりも押圧方向Ｒ１１の前方側に突出して配置されるとともに、把持部２５の離脱方向Ｒ１２側端部が内側部２６の離脱方向Ｒ１２側端部よりも離脱方向Ｒ１２の前方側に突出して配置されるように、把持部２５と内側部２６とを連結する。
【００３６】
また、第２検出部２４は、基板３０上であって略円筒状に形成された第１検出部２２の内側に取り付けられる。プッシュボタン２３は、軸線Ｌ１０方向にスライド変位可能に第１検出部２２に対して半径方向内側から嵌合される。
【００３７】
図３は、プッシュボタン２３を示す斜視図である。ここでは図１も併せて参照して、プッシュボタン２３の形状を詳細に説明する。プッシュボタン２３は、天板部３２、ボタン
側係止片３３、案内片３４および操作片３５を有する。天板部３２は、略円板状に形成される。
【００３８】
ボタン側係止片３３は、天板部３２から押圧方向Ｒ１１側に突出して形成され、固定端と自由端との間には、半径方向外側に突出するボタン側係合部３６が形成される。より詳しくは、ボタン側係止片３３は、天板部３２の軸線まわりに周方向に等間隔をあけて４個設けられる。図１を参照して、第１検出部２２の内周部には、半径方向内側に突出するボタン用係合部３７が設けられる。
【００３９】
プッシュボタン２３は、第１検出部２２に対して軸線方向にスライド変位可能に、ボタン側係止片３３が第１検出部２２に弾性的に係止して、第１検出部２２の半径方向内側から第１検出部２２に嵌合する。例えば、ボタン側係合部３６の係合面の半径方向長さを、第１検出部２２のボタン用係合部３７の係合面の半径方向長さよりも大きく形成すると、ボタン側係合部３６とボタン用係合部３７とが係合したときに、ボタン側係止片３３に撓みが生じる。その結果、ボタン側係止片３３は、第１検出部２２に対して半径方向外側に向かう力を加えた状態で、即ち弾性的に係止される。
【００４０】
このとき、プッシュボタン２３は、押圧方向Ｒ１１には所定量のスライド変位が可能であるけれども、離脱方向Ｒ１２へのスライド変位は、ボタン側係止片３３のボタン側係合部３６と第１検出部２２のボタン用係合部３７との係合によって規制される。したがってプッシュボタン２３を外側に所定の力以上で引き抜かない限り、プッシュボタン２３が第１検出部２２に嵌合している状態では、プッシュボタン２３は第１検出部２２から離脱しない。
【００４１】
またボタン側係止片３３には、ボタン側係合部３６と固定端との間にボタン側傾斜部３８が形成される。このボタン側傾斜部３８は、プッシュボタン２３およびロータリーノブ２１が第１検出部２２に嵌合されている状態では、ボタン側係合部３６から前記固定端に向かうにつれてロータリーノブ２１の内側部２６に向かって傾斜するように形成されている。ボタン側傾斜部３８は、プッシュボタン２３およびロータリーノブ２１が第１検出部２２に嵌合されている状態では、ロータリーノブ２１の突起部２９よりも離脱方向Ｒ１２側に配置されている。
【００４２】
案内片３４は、天板部３２から押圧方向Ｒ１１側に突出して形成される。より詳しくは、案内片３４は４個設けられ、天板部３２の軸線まわりに、周方向に隣り合う２つのボタン側係止片３３の間に間隔をあけて１個ずつ配置される。操作片３５は、天板部３２から押圧方向Ｒ１１側に突出して形成され、ボタン側係止片３３および案内片３４の半径方向内側に設けられる。プッシュボタン２３およびロータリーノブ２１が第１検出部２２に嵌合されている状態では、プッシュボタン２３の天板部３２とロータリーノブ２１の内側部２６の離脱方向Ｒ１２側端部とは間隔をあけて位置している。
【００４３】
第２検出部２４は、基板３０上であって第１検出部２２の内側に取り付けられ、プッシュボタン２３のスライド変位を検出する。第２検出部２４は、たとえばタクトスイッチで実現され、プッシュボタン２３が押圧方向Ｒ１１側にスライド変位して、プッシュボタン２３の操作片３５が第２検出部２４を押圧することで、プッシュボタン２３のスライド変位を検出する。
【００４４】
また、ロータリーノブ２１において、内側部２６の離脱方向Ｒ１２側端部は、弾性を有する。これによってプッシュボタン２３およびロータリーノブ２１が第１検出部２２に嵌合されている状態で、プッシュボタン２３の天板部３２が操作者によって押圧方向Ｒ１１に押圧されると、プッシュボタン２３の天板部３２とロータリーノブ２１の離脱方向Ｒ１
２側の端部とが弾発的に当接する。
【００４５】
また、プッシュボタン２３およびロータリーノブ２１が第１検出部２２に嵌合されている状態で、プッシュボタン２３は、ボタン側係止片３３における少なくともノブ側突起部２９に臨む部分よりも天板部３２側の部分が、遮光性を有する。さらに、基板３０上であって第１検出部２２の内側には光源３９が設けられる。
【００４６】
図４は、図１におけるノブ側係合部２８およびノブ側突起部２９ならびにボタン側係止片３３およびボタン側傾斜部３８付近を拡大して示す断面図である。前述したように図４（ａ）に示すように、ロータリーノブ２１およびプッシュボタン２３が第１検出部２２に嵌合されている状態では、ノブ側係合部２８が第１検出部２２のノブ用係合凹所３１に嵌入し、ボタン側係止片３３のボタン側係合部３６が第１検出部２２のボタン用係合部３７に係合している。このときノブ側突起部２９は、ボタン側係止片３３のボタン側傾斜部３８よりも押圧方向Ｒ１１側に間隔をあけて位置している。
【００４７】
図４（ａ）に示す状態から、操作者がロータリーノブ２１の把持部２５を把持して、ロータリーノブ２１を離脱方向Ｒ１２に引張って離脱させようとすると、まず図４（ｂ）に示すように、ロータリーノブ２１のノブ側係合部２８が半径方向外側に変位して、第１検出部２２のノブ用係合凹所３１から離脱する。これによってロータリーノブ２１は、第１検出部２２から離脱する。ノブ側係合部２８の離脱方向Ｒ１２側の端部は、ロータリーノブ２１を離脱方向Ｒ１２に引張ったときに半径方向外側に変位しやすいように、離脱方向Ｒ１２側の端部に向かうにつれて半径方向外側に傾斜するように形成することが好ましい。これによってロータリーノブ２１を離脱させるときに、ノブ側係合部２８は第１検出部２２から半径方向外側に向かう力を受けて、ノブ用係合凹所３１から容易に離脱することができる。
【００４８】
操作者がそのままロータリーノブ２１を離脱方向Ｒ１２に引張り続けると、ノブ側突起部２９がボタン側係止片３３のボタン側傾斜部３８に当接する。このようにノブ側突起部２９がボタン側傾斜部３８に当接した状態で、さらに操作者がそのままロータリーノブ２１を離脱方向Ｒ１２に引張ると、ボタン側傾斜部３８は前述のように傾斜しているので、ボタン側傾斜部３８がノブ側突起部２９から受ける力には、半径方向内側へ向かう方向の成分ができる。これによって図４（ｂ）に示すように、ボタン側係止片３３が半径方向内方、すなわちボタン側係止片３３が第１検出部２２のボタン用係合部３７から離脱する方向に変位する。これによってプッシュボタン２３は、第１検出部２２から離脱する。
【００４９】
操作者がさらにロータリーノブ２１を離脱方向Ｒ１２に引張り続けると、ロータリーノブ２１の内側部２６の離脱方向１２側の端部がプッシュボタン２３の天板部３２に当接して、ロータリーノブ２１およびプッシュボタン２３は、ともに第１検出部２２から離脱する。本実施形態において係止解除手段は、ロータリーノブ２１のノブ側突起部２９およびプッシュボタン２３のボタン側係止片３３のボタン側傾斜部３８を含んで構成される。
【００５０】
上記実施形態のスイッチ装置２０によれば、以下のような効果を得ることができる。
（１）上記実施形態では、ロータリーノブ２１を第1検出部２２から離脱するときに、
ロータリーノブ２１のノブ側突起部２９およびプッシュボタン２３のボタン側係止片３３のボタン側傾斜部３８を含む係止解除手段によって、第１検出部２２とプッシュボタン２３のボタン側係止片３３との係止状態が積極的に解除されるので、プッシュボタン２３を第1検出部２２から容易に離脱することができる。このようにスイッチ装置２０のロータ
リーノブ２１およびプッシュボタン２３を第１検出部２２から離脱してスイッチ装置２０を容易に分解できるので、スイッチ装置２０のメンテナンス性を向上することができる。
【００５１】
（２）上記実施形態では、ロータリーノブ２１を第１検出部２２から離脱させるように離脱方向Ｒ１２にスライド変位させると、ボタン側係止片３３が第１検出部２２から離反する方向に変形するので、スイッチ装置２０の分解を繰り返しても、ボタン側係止片３３のボタン側係合部３６が磨耗することを可及的に防止することができる。これによってスイッチ装置２０の分解を繰り返しても、プッシュボタン２３の第１検出部２２への嵌合状態を良好に保つことができる。
【００５２】
（３）上記実施形態では、ロータリーノブ２１を第１検出部２２から離脱させるように離脱方向Ｒ１２にスライド変位させると、ボタン側係止片３３が第１検出部２２から離反する方向に容易に変形して、プッシュボタン２３を第1検出部２２から容易に離脱させる
ことができる。
【００５３】
（４）上記実施形態では、プッシュボタン２３は第１検出部２２にがたつきなく嵌合されるので、操作者はプッシュボタン２３の操作を安定して行うことができ操作性が向上する。
【００５４】
（５）上記実施形態では、ロータリーノブ２１を離脱方向Ｒ１２にスライド変位させると、プッシュボタン２３は第１検出部２２から離脱しようとする方向の力をロータリーノブ２１から受けるので、プッシュボタン２３は前記ロータリーノブ２１とともに第１検出部２２から離脱することができる。
【００５５】
（６）上記実施形態では、操作者がプッシュボタン２３の天板部３２を押圧方向Ｒ１１に押圧すると、プッシュボタン２３の天板部３２とロータリーノブ２１の内側部２６の離脱方向１２側の端部とが弾発的に当接するので、操作者の感じるプッシュボタン２３の操作感が向上する。
【００５６】
（７）上記実施形態では、ボタン側係止片３３における少なくともノブ側突起部２９に臨む部分よりも天板部３２側の部分が遮光性を有するので、第１検出部２２の内側に光源３９を配置した際に、光源３９からの光が天板部３２側に漏れることを抑制することができる。これによって、スイッチ装置２０の美観を向上することができる。
【００５７】
（第２の実施形態）
次に、本発明の第２実施形態を、図５を参照しながら説明する。なお、第２実施形態は、第１実施形態の係止解除手段を変更したのみの構成であるため、同様の部分についてはその詳細な説明を省略する。図５は、第２実施形態におけるノブ側係合部２８およびノブ側突起部２９Ａならびにボタン側係止片３３付近を拡大して示す断面図である。
【００５８】
ロータリーノブ２１の内側部２６の軸線方向中央部には、半径方向内側に突出するノブ側突起部２９Ａが形成される。ノブ側突起部２９Ａの先端部には傾斜部が形成されており、この傾斜部は、離脱方向Ｒ１２に向かうにつれて半径方向外側に向かって傾斜している。ボタン側係止片３３には、ロータリーノブ２１に向かって突出するボタン側突出部３３ａが形成される。このボタン側突出部３３ａは、ロータリーノブ２１およびプッシュボタン２３が第１検出部２２に嵌合している状態では、ノブ側突起部２９Ａよりも離脱方向Ｒ１２側に位置している。
【００５９】
図５に示す状態から、操作者がロータリーノブ２１の把持部２５を把持して、ロータリーノブ２１を離脱方向Ｒ１２に引張って離脱させようとすると、まずロータリーノブ２１のノブ側係合部２８が半径方向外側に変位して、第１検出部２２のノブ用係合凹所３１から離脱する。これによってロータリーノブ２１は、第１検出部２２から離脱する。ノブ側係合部２８の軸線方向他端部は、ロータリーノブ２１を離脱方向Ｒ１２に引張ったときに
半径方向外側に変位しやすいように、離脱方向Ｒ１２側の端部に向かうにつれて半径方向外側に傾斜するように形成することが好ましい。これによってロータリーノブ２１を離脱させるときに、ノブ側係合部２８は第１検出部２２から半径方向外側に力を受けて、ノブ用係合凹所３１から容易に離反することができる。
【００６０】
操作者がそのままロータリーノブ２１を離脱方向Ｒ１２に引張り続けると、ノブ側突起部２９Ａの傾斜部がボタン側係止片３３の突出部３３ａに当接する。そしてノブ側突起部２９Ａの傾斜部がボタン側係止片３３の突出部３３ａに当接した状態で、さらに操作者がそのままロータリーノブ２１を離脱方向Ｒ１２に引張ると、ノブ側突起部２９Ａの傾斜部は前述のように傾斜しているので、ボタン側係止片３３の突出部３３ａがノブ側突起部２９Ａから受ける力には、半径方向内側へ向かう方向の成分ができる。これによって、ボタン側係止片３３が半径方向内側、すなわちボタン側係止片３３が第１検出部２２のボタン用係合部３７から離反する方向に変位する。これによってプッシュボタン２３は、第１検出部２２から離脱する。
【００６１】
操作者がさらにロータリーノブ２１を離脱方向Ｒ１２に引張り続けると、ロータリーノブの内側部２６の離脱方向１２側の端部がプッシュボタン２３の天板部３２に当接して、ロータリーノブ２１およびプッシュボタン２３は、ともに第１検出部２２から離脱する。本実施形態において係止解除手段は、ロータリーノブ２１のノブ側突起部２９Ａおよびプッシュボタン２３のボタン側係止片３３の突出部３３ａを含んで構成される。
【００６２】
第２実施形態のスイッチ装置によれば、前述の第１実施形態のスイッチ装置と同様の効果を得ることができる。
（第３の実施形態）
次に、本発明の第３実施形態を、図６を参照しながら説明する。なお、第３実施形態は、第１実施形態におけるプッシュボタン２３のボタン側係止片３３を変更したのみの構成であるため、同様の部分についてはその詳細な説明を省略する。図６は、第３実施形態におけるロータリーノブ２１のノブ側係合部２８およびノブ側突起部２９ならびにプッシュボタン２３のボタン側係止片３３付近を拡大して示す断面図である。
【００６３】
プッシュボタン２３のボタン側係止片３３は、ボタン側傾斜部３８よりも天板部３２側の部分がボタン側係合部３６よりも薄肉に形成される。詳細には、ボタン側係止片３３の傾斜部３８よりも天板部３２側に、ロータリーノブ２１のノブ側突起部２９が嵌合可能な嵌合凹所４０が形成される。
【００６４】
ロータリーノブ２１およびプッシュボタン２３が第１検出部２２に嵌合されている状態で、操作者がロータリーノブ２１の把持部２５を把持して、ロータリーノブ２１を離脱方向Ｒ１２に引張って離脱させようとすると、まずロータリーノブ２１のノブ側係合部２８が半径方向外側に変位して、第１検出部２２のノブ用係合凹所３１から離脱する。これによってロータリーノブ２１は、第１検出部２２から離脱する。
【００６５】
操作者がそのままロータリーノブ２１を離脱方向Ｒ１２に引張り続けると、ロータリーノブ２１のノブ側突起部２９がプッシュボタン２３のボタン側係止片３３の傾斜部３８に当接する。そして、ノブ側突起部２９がボタン側係止片３３の傾斜部３８に当接した状態で、さらに操作者がそのままロータリーノブ２１を離脱方向Ｒ１２に引張ると、ボタン側係止片３３の傾斜部３８は前述のように傾斜しているので、ボタン側係止片３３の傾斜部３８がノブ側突起部２９から受ける力には、半径方向内側へ向かう方向の成分ができる。これによって、ボタン側係止片３３が半径方向内側、すなわちボタン側係止片３３が第１検出部２２のボタン用係合部３７から離反する方向に変位する。またプッシュボタン２３のボタン側係止片３３の傾斜部３８よりも天板部３２側はボタン側係合部３６よりも薄肉
に形成されているので、ボタン側係止片３３は、第１検出部２２のボタン用係合部３７から離反する方向に極めて容易に変位する。これによってプッシュボタン２３は、第１検出部２２から離脱する。
【００６６】
操作者がさらにロータリーノブ２１を離脱方向Ｒ１２に引張り続けると、ロータリーノブ２１のノブ側突起部２９がプッシュボタン２３のボタン側係止片３３の嵌合凹所４０にはまり込んで、ロータリーノブ２１およびプッシュボタン２３は、一体的に第１検出部２２から離脱する。
【００６７】
第３実施形態によれば、第１実施形態に記載の効果に加えて以下の効果を得ることができる。
（１）上記実施形態では、ロータリーノブ２１を第1検出部２２から離脱するときに、
プッシュボタン２３を第1検出部２２からさらに容易に離脱することができる。
【００６８】
（２）上記実施形態では、ロータリーノブ２１とプッシュボタン２３とは一体的に第１検出部２２から離脱するので、第１検出部２２から離脱させた後のロータリーノブ２１およびプッシュボタン２３の保管性が向上する。これによって、ロータリーノブ２１およびプッシュボタン２３が紛失するのを抑制することができる。
【００６９】
なお、本発明は、ロータリーノブと、前記ロータリーノブが軸線まわりに嵌合し、前記ロータリーノブの回転に連動して回転して前記ロータリーノブの角変位量を検出する検出部と、前記検出部に軸線方向に変位可能に嵌合するプッシュボタンとを備えるスイッチ装置であれば、上述したスイッチ装置２０とは異なる形状のスイッチ装置に対しても、同様に適用できる。
【図面の簡単な説明】
【００７０】
【図１】第１実施形態であるスイッチ装置２０を示す断面図。
【図２】スイッチ装置２０を示す斜視図。
【図３】プッシュボタン２３を示す斜視図。
【図４】（ａ）および（ｂ）は図１におけるロータリーノブ２１のノブ側係合部２８およびノブ側突起部２９ならびにプッシュボタン２３のボタン側係止片３３およびボタン側傾斜部３８付近を拡大して示す断面図。
【図５】第２実施形態におけるロータリーノブ２１のノブ側係合部２８およびノブ側突起部２９Ａならびにプッシュボタン２３のボタン側係止片３３付近を拡大して示す断面図。
【図６】第３実施形態におけるロータリーノブ２１のノブ側係合部２８およびノブ側突起部２９ならびにプッシュボタン２３のボタン側係止片３３付近を拡大して示す断面図。
【図７】従来のスイッチ装置１を示す断面図。
【符号の説明】
【００７１】
２０…スイッチ装置、２１…ロータリーノブ、２２…第１検出部、２３…プッシュボタン、２４…第２検出部、２８…ノブ側係合部、２９，２９Ａ…ノブ側突起部、３２…天板部、３３…ボタン側係止片、３３ａ…ボタン側突出部、３６…ボタン側係合部、３８…ボタン側傾斜部、４０…嵌合凹所、Ｌ１０…軸線、Ｒ１１…押圧方向、Ｒ１２…離脱方向。
【図１】
2006228452.tif 000003
【図２】
2006228452.tif 000004
【図３】
2006228452.tif 000005
【図４】
2006228452.tif 000006
【図５】
2006228452.tif 000007
【図６】
2006228452.tif 000008
【図７】
2006228452.tif 000009